(57)【要約】【課題】  発呼元電話機のユーザは特別な設備を増設しなくとも、ユーザの電話機から特定の電話機への発信を規制することができる電話発信規制装置を提供する。【解決手段】  電話発信規制装置８のデータ記憶部３２には、発呼元電話機４からの発呼が規制されている電話番号が格納されている。発呼元電話機４から電話発信規制装置８に電話がかけられ、発呼先電話機１２の電話番号が送信されると、制御部３１の発信規制番号照合手段３６は、発呼先電話機１２の電話番号が、データ記憶部３２に格納されているか否か照合し、格納されている場合、発信規制案内手段３７は、発信規制されている旨の信号を発呼元電話機４へ送信する。一方、発呼先電話機１２の電話番号が格納されていない場合、電話発呼手段３８が発呼先電話機１２の電話番号をかけ、電話中継手段３９が発呼元電話機４と発呼先電話機１２とを中継する。【選択図】  図２
2006140648.tif 000002
【特許請求の範囲】
【請求項１】
公衆回線網に接続されており、発呼元電話機からの電話の回線が接続され、発呼先電話機への電話の回線が接続される電話送受信機と、前記発呼元電話機からの発呼が規制される一又は複数の電話番号を格納するためのデータ記憶部と、前記電話送受信機と前記データ記憶部に接続された制御部とを備え、
前記制御部は、
前記発呼元電話機から発信される発呼先電話機の電話番号を受信し、前記発呼先電話機の前記電話番号が、前記データ記憶部に格納されていないか否か照合する発信規制番号照合手段と、
前記発信規制番号照合手段によって、前記発呼先電話機の前記電話番号が前記データ記憶部に格納されていると判定された場合、前記発呼先電話機の前記電話番号が発信規制されている旨の信号を前記発呼元電話機へ送信する発信規制案内手段と、
前記発信規制番号照合手段によって、前記発呼先電話機の前記電話番号が前記データ記憶部に格納されていないと判定された場合、前記発呼先電話機の前記電話番号を発呼する電話発呼手段と、
前記電話発呼手段によって前記発呼先電話機の前記電話番号が発呼された後、前記発呼元電話機に接続された回線と前記発呼先電話機に接続された回線とを中継する電話中継手段と
を有することを特徴とする電話発信規制装置。
【請求項２】
前記制御部は、前記電話送受信機を介して前記発呼元電話機からの発呼規制格納信号を受信すると前記発呼先電話機の前記電話番号を前記データ記憶部に格納する発信規制番号格納手段をさらに有することを特徴とする請求項１に記載の電話発信規制装置。
【請求項３】
電気通信回線に接続されたインターフェイスをさらに有し、
前記インターフェイスは前記制御部に接続されており、
前記制御部は、前記電気通信回線に接続された端末装置からの要求に応答して、発呼が規制される電話番号を前記データ記憶部に対して書き込み可能とする処理手段をさらに有していることを特徴とする請求項１又は２に記載の電話発信規制装置。
【請求項４】
前記発呼元電話機に接続された回線と前記発呼先電話機に接続された回線とが前記電話中継手段によって中継されている間、前記制御部は、前記発呼元電話機と前記発呼先電話機との間で通信される音声信号を前記データ記憶部に記憶させることを特徴とする請求項１〜３のいずれか一項に記載の電話発信規制装置。
【発明の詳細な説明】
【技術分野】
【０００１】
本発明は、電話機から特定の電話機への発信を規制する電話発信規制装置に関する。
【背景技術】
【０００２】
先物商品取引等の業界では、商品取引の勧誘のため、営業員が多くの者へ電話をすることがあるが、勧誘対象者の中には、興味を示す者と勧誘を断る者等がいる。そして、一度電話勧誘を断った勧誘対象者に対して、繰り返し電話勧誘が行われることがあり、問題となっている。
【０００３】
このような問題に対応する技術としては、発呼元電話機に接続された構内交換装置（ＰＢＸ）内に、その発呼元電話機から発信が規制されている電話番号であることを検知し、電話機からの発信を規制する技術がある。また、構内交換装置に端末装置を接続して、発呼元電話機からの発信を規制する電話番号を、その端末装置から構内交換装置に登録する技術もある。
【特許文献１】特開平５−９５５７８号公報
【発明の開示】
【発明が解決しようとする課題】
【０００４】
しかしながら、発呼元電話機からの発信を構内交換装置によって規制するために、ユーザが電話発信規制用の構内交換装置をあらたに設置するには、コスト高となる。
【０００５】
そこで、本発明は、発呼元電話機のユーザは特別な設備を増設しなくとも、ユーザの電話機から特定の電話機への発信を規制することができる電話発信規制装置を提供することを目的とする。
【課題を解決するための手段】
【０００６】
公衆回線網に接続されており、発呼元電話機からの電話の回線が接続され、発呼先電話機への電話の回線が接続される電話送受信機と、発呼元電話機からの発呼が規制される一又は複数の電話番号を格納するためのデータ記憶部と、電話送受信機とデータ記憶部に接続された制御部とを備え、制御部は、発呼元電話機から発信される発呼先電話機の電話番号を受信し、発呼先電話機の電話番号が、データ記憶部に格納されていないか否か照合する発信規制番号照合手段と、発信規制番号照合手段によって、発呼先電話機の電話番号がデータ記憶部に格納されていると判定された場合、発呼先電話機の電話番号が発信規制されている旨の信号を発呼元電話機へ送信する発信規制案内手段と、発信規制番号照合手段によって、発呼先電話機の電話番号が前記データ記憶部に格納されていないと判定された場合、発呼先電話機の電話番号を発呼する電話発呼手段と、電話発呼手段によって発呼先電話機の電話番号が発呼された後、発呼元電話機に接続された回線と発呼先電話機に接続された回線とを中継する電話中継手段とを有することを特徴とする。
【０００７】
この電話発信規制装置によれば、発呼元電話機から発呼先電話機に電話をするに際して、電話発信規制装置が、発呼元電話機からの電話を一旦受信し、発信規制されている電話番号であるか否か照合される。すなわち、発呼元電話機からかけられた電話を電話送受信機で受けて、発呼元電話機との回線が接続され、発信規制番号照合手段によって発呼元電話機から発信される発呼先電話機の電話番号が受信される。そして、発信規制番号照合手段によって、発呼先電話機の電話番号が、データ記憶部に格納されていないか否か照合される。ここで、発信規制番号照合手段によって、発呼先電話機の電話番号がデータ記憶部に格納されていると判定された場合、発信規制案内手段は、発呼先電話機の電話番号が発信規制されている旨の信号を発呼元電話機へ送信する。このように、発呼元電話機によって発信規制されている電話番号がかけられても、電話発信規制装置によって、発呼元電話機と発呼先電話機との間で回線は接続されない。一方、発信規制番号照合手段によって、発呼先電話機の電話番号がデータ記憶部に格納されていないと判定された場合には、電話発呼手段は、発呼先電話機の電話番号を発呼し、電話中継手段は、発呼元電話機に接続された回線と発呼先電話機に接続された回線を中継する。そのため、発呼元電話機の話者と発呼先電話機の話者との間で会話を行うことができる。このような電話発信規制装置をサービス提供者が運営してサービスを提供すれば、発呼元電話機のユーザは特別な設備を増設しなくとも、ユーザの発呼元電話機から特定の電話機への発信を規制することができる。
【０００８】
また、制御部は、電話送受信機を介して発呼元電話機からの発呼規制格納信号を受信すると発呼先電話機の電話番号をデータ記憶部に格納する発信規制番号格納手段をさらに有すると好適である。この構成を採用することにより、発呼元電話機が発呼規制格納信号を送信すると、発信規制番号格納手段が発呼規制格納信号を受信し、発呼先電話機の電話番号をデータ記憶部に記憶させる。したがって、例えば、発呼先電話機の話者が、発呼元電話機の話者に対して、再度の電話による呼び出しを断った場合には、発呼先電話機の話者の操作により、発呼元電話機から発呼規制格納信号が電話発信規制装置へ送信されれば、発呼先電話機の電話番号がデータ記憶部に記憶される。そのため、発呼元電話機によって同じ発呼先電話機に電話をかけたとしても、発信規制番号照合手段によってその発呼先電話機の電話番号がデータ記憶部に格納されていると判定され、発信規制案内手段によって、発呼元電話機に対して、その発呼先電話機の電話番号は発信規制されている旨の信号が送信され、発呼元電話機と発呼先電話機との間で回線は接続されないことになる。
【０００９】
また、この電話発信規制装置は、電気通信回線に接続されたインターフェイスをさらに有し、インターフェイスは制御部に接続されており、制御部は、電気通信回線に接続された端末装置からの要求に応答して、発呼が規制される電話番号をデータ記憶部に対して書き込み可能とする処理手段をさらに有していると好ましい。この構成を採用することにより、発呼元電話機のユーザは、端末装置を用いて電話発信規制装置のデータ記憶部に対して、発呼が規制される電話番号を書き込むことができるため、発呼を規制すべき電話番号をデータ記憶部に容易に格納することができる。
【００１０】
また、発呼元電話機に接続された回線と発呼先電話機に接続された回線とが電話中継手段によって中継されている間、制御部は、発呼元電話機と発呼先電話機との間で通信される音声信号をデータ記憶部に記憶させると良い。これにより、発呼元電話機の話者と発呼先電話機の話者との間で通話された中に、発呼先電話機の話者から、その発呼先電話機に対して発信規制が要望されていないか等を、データ記憶部に記憶された音声信号を再生することで確認することができる。
【発明の効果】
【００１１】
本発明の電話発信規制装置によれば、発呼元電話機のユーザは特別な設備を増設しなくとも、ユーザの電話機から特定の電話機への発信を規制することができる。
【発明を実施するための最良の形態】
【００１２】
以下、図面を参照して本発明による電話発信規制装置を用いた電話発信規制システムの好適な実施形態について詳細に説明する。
【００１３】
＜電話発信規制システムの構成＞
図１は、電話発信規制システム１の構成を示すシステム図である。図１に示すように、電話発信規制サービスの提供を受けるサービス受益者のサービス受益者システムにおいては、構内交換装置ＰＢＸ３が、公衆交換電話網ＰＳＴＮ（公衆回線網）２に接続されており、その構内交換装置３には、複数のデジタル式の内線電話機（発呼元電話機）４が接続されている。また、サービス受益者のシステムには、ＬＡＮ６が配設され、そのＬＡＮ６には、端末装置７が接続されている。
【００１４】
また、電話発信規制サービスを行うサービス提供者のサービス提供者システムにおいては、電話発信規制装置８が、公衆交換電話網２に接続されている。このサービス提供者システムには、ＬＡＮ９が配設され、電話発信規制装置８は、ＬＡＮ９にも接続されている。
【００１５】
ここで、端末装置７と電話発信規制装置８とは、ＬＡＮ６，９及びインターネット網（電気通信回線）１１によって通信可能に接続されている。さらに、公衆交換電話網２には、内線電話機４の発呼先となる外線電話機（発呼先電話機）１２が接続されている。
【００１６】
[ 内線電話機（発呼元電話機）の構成 ]
図２は、発呼元電話機４（以下、電話機４ともいう）の構成ブロック図である。図２に示すように、電話機４の受話器１３には、受話するためのスピーカ１４と送話するためのマイク１６とが備えられている。
【００１７】
電話機４の電話機本体１７には、電話番号をプッシュするための複数のプッシュボタン１８と、シャープボタン、＊印ボタン、短縮ダイヤルボタン等の複数の機能ボタン１９が取り付けられている。また、電話機４の電話機本体１７には、対数伸長器２１、対数圧縮器２２、コーデック部２３、ライン・インターフェイス２４、及び制御部２６を有している。コーデック部２３は、Ｄ／Ａ変換器２７及びＡ／Ｄ変換器２８を有している。また、制御部２６は、プッシュボタン１８、機能ボタン１９、コーデック部２３、ライン・インターフェイス２４に接続されている。
【００１８】
発呼先電話機１２（参照図１）の電話番号を押すために、話者によってプッシュボタン１８が押下されると、そのプッシュボタン１８は、押下されたことを示す信号を制御部２６に出力する。制御部２６は、押下されたプッシュボタン１８に対応したトーン信号を、ライン・インターフェイス２４に対してコード２９を通じて、構内交換装置３に向けて出力させる。
【００１９】
また、制御部２６の内部メモリには、電話発信規制装置８の電話番号が格納されており、機能ボタン１９のうち、短縮ダイヤルボタンを押下することによって、制御部２６は、ライン・インターフェイス２４、コード２９を通じて電話発信規制装置８へ電話発呼できるようになっている。
【００２０】
さらに、話者によって、シャープボタン、＊印ボタン等の機能ボタン１９が押下されると、その機能ボタン１９は、押下されたことを示す信号を制御部２６に出力する。制御部２６は、押下された機能ボタン１９に対応したトーン信号を、ライン・インターフェイス２４に対してコード２９を通じて、構内交換装置３へ出力させる。そして、機能ボタン１９が押下されたことを示す信号は、電話発信規制装置８へ送信され、電話発信規制装置８によって検出される。
【００２１】
電話機４と発呼先電話機１２との間で回線が接続されている間、電話機４において次のように音声信号が処理される。すなわち、電話機４の話者の音声は、マイク１６によって収音されてアナログ音声信号として、対数圧縮器２２に出力される。対数圧縮器２２は、マイク１６によって出力されたアナログ音声信号を対数圧縮して、Ａ／Ｄ変換器２８に出力する。Ａ／Ｄ変換器２８は、制御部２６の制御の下、対数圧縮器２２によって出力されたアナログ音声信号をデジタル音声信号に変換して、ライン・インターフェイス２４に出力する。ライン・インターフェイス２４は、制御部２６の制御により、コード２９を通じて構内交換装置３へデジタル音声信号を送出する。このデジタル音声信号は、公衆交換電話網２、電話発信規制装置８を通じて、発呼先電話機１２へ送信される。発呼先電話機１２では、送信されたデジタル音声信号をアナログに変換して、受話器１２ａのスピーカによって、話者に聞くことができるように音声に変換される。
【００２２】
また、発呼先電話機１２によって送信された発呼先電話機１２の話者のデジタル音声信号は、公衆交換電話網２、電話発信規制装置８、及び構内交換装置３を介し、コード２９を通じて、ライン・インターフェイス２４に送信される。ライン・インターフェイス２４は、制御部２６の制御により、受信したデジタル音声信号をＤ／Ａ変換器２７に出力する。Ｄ／Ａ変換器２７は、ライン・インターフェイス２４によって出力されたデジタル音声信号をアナログ音声信号に変換し、対数伸長器２１に出力する。対数伸長器２１は、アナログ音声信号を対数伸長処理し、スピーカ１４に出力する。スピーカ１４は、対数伸長器２１によって出力されたアナログ音声信号を音声に変換する。これにより、発呼元電話機４の話者は、発呼先電話機１２の話者が発した音声を聞くことができる。
【００２３】
さらに、電話発信規制装置８によって送出された各種メッセージのデジタル音声信号も、公衆交換電話網２及び構内交換装置３を介し、コード２９を通じて、ライン・インターフェイス２４に送信されると、Ｄ／Ａ変換器２７、対数伸長器２１、及びスピーカ１４によって処理されて、スピーカ１４によって音声として発声される。したがって、発呼元電話機４の話者は、電話発信規制装置８によって送出された各種メッセージも聞くことができる。
【００２４】
[ 構内交換装置の構成 ]
構内交換装置ＰＢＸ３は、いわゆるデジタルＰＢＸであり、内線電話機である発呼元電話機４に接続されたライン回路と、公衆交換電話網２に接続されたトランク回路と、音声信号の交換接続を行う通話スイッチと、ライン回路、トランク回路及び通話スイッチの交換接続を行う制御部を有している。構内交換装置３の機能ブロック図については省略する。
【００２５】
[ 電話発信規制装置の構成 ]
図３は、電話発信規制装置８の機能ブロック図を示している。電話発信規制装置８は、物理的には、ＣＰＵ、ＲＯＭ、ＲＡＭといったメモリ、ハードディスクといった記憶装置、電話送受信機、ＬＡＮインターフェイスといった通信機器により構成される。そして、図３に示すように、電話発信規制装置８は、機能的には、制御部３１、データ記憶部３２、公衆交換電話網２に接続された電話送受信機３３、及びＬＡＮインターフェイス３４を備えている。これらのうち、制御部３１は、データ記憶部３２、電話送受信機３３、及びＬＡＮインターフェイス３４に接続されており、発信規制番号照合手段３６、発信規制案内手段３７、電話発呼手段３８、電話中継手段３９、電話切断手段４１、発信規制番号格納手段４２、及びＷｅｂサーバーアプリケーション４３を有している。なお、公衆交換電話網２から電話発信規制装置８に接続される回線本数は、電話発信規制装置８の同時にかけられる電話の本数に応じて増設される。
【００２６】
データ記憶部３２は、発呼元電話機４からの発呼が規制される一又は複数の電話番号を格納したり、発呼元電話機４と発呼先電話機１２との間で通信された音声信号を記録したりする。電話送受信機３３は、公衆交換電話網２に接続され、発呼元電話機４や発呼先電話機１２と回線を接続したり、発呼元電話機４や発呼先電話機１２からの信号を受信したりする。ＬＡＮインターフェイス３４は、インターネット網１１を介して、サービス受益者システムに設置された端末装置７との通信を行うためのインターフェイスである。
【００２７】
発信規制番号照合手段３６は、発呼元電話機４によって送信された発呼先電話機１２の電話番号を、電話送受信機３３を介して受信すると、データ記憶部３２に記憶されている電話番号を読み出して、発呼先電話機１２の電話番号がデータ記憶部３２に格納されていないか否か照合する。
【００２８】
発信規制案内手段３７は、発信規制番号照合手段３６によって発呼先電話機１２の電話番号がデータ記憶部３２に格納されていると判定された場合に、電話送受信機３３を介して、発呼元電話機４に対して、発呼先電話機１２の電話番号が発信規制されている旨の信号を送信する。その信号は、例えば、「あなたがお掛けになった電話番号は、発信規制されています。」という音声メッセージを発信するデジタル音声信号である。なお、その信号は、発信規制を示すブザー音を発する信号でも良い。
【００２９】
電話発呼手段３８は、発信規制番号照合手段３６によって発呼先電話機１２の電話番号がデータ記憶部３２に格納されていないと判定された場合に、発呼先電話機１２の電話番号の発呼信号を、電話送受信機３３を介して送信する。
【００３０】
電話中継手段３９は、電話発呼手段３８によって発呼先電話機１２の電話番号の発呼信号が送信された後、発呼元電話機４との回線と発呼先電話機１２との回線を電話送受信機３３に中継させる。したがって、この中継状態で、発呼先電話機１２の受話器１２ａが話者によってとられてオフフック状態になると、発呼元電話機４の話者と発呼先電話機１２の話者との間で、通話可能となる。また、制御部３１は、発呼元電話機４と発呼先電話機１２との間で回線が中継されている間、発呼元電話機４と発呼先電話機１２との間で通信される音声信号をデータ記憶部３２に記憶させる。
【００３１】
電話中継手段３９によって、発呼元電話機４との回線と発呼先電話機１２との回線が中継されている場合において、発呼元電話機４の話者が受話器１３をオンフックにして電話を切ったとき、オンフックになったことを示す信号が発呼元電話機４から構内交換装置３及び公衆交換電話網２を通じて、電話送受信機３３に送信され、制御部３１の電話切断手段４１に出力されると、電話切断手段４１は、電話送受信機３３に対し、発呼元電話機４と電話送受信機３３との間の回線を切断させると共に、発呼先電話機１２と電話送受信機３３との間の回線を切断させる。
【００３２】
また、発呼元電話機４との回線と発呼先電話機１２との回線が中継されている場合において、発呼元電話機４の話者が、電話を切断するよう予め設定されている一つの機能ボタン１９、例えば、シャープボタン（以下、「切断ボタン」という）を押下し、その切断ボタンが押下されたことを示す信号が、発呼元電話機４から構内交換装置３及び公衆交換電話網２を通じて、電話送受信機３３に送信され、制御部３１の電話切断手段４１に出力されると、電話切断手段４１は、電話送受信機３３に対し、発呼先電話機１２と電話送受信機３３との間の回線を切断させる。
【００３３】
また、発呼元電話機４の話者によって、切断ボタン（機能ボタン１９の一つ）が押下されて、電話切断手段４１によって、発呼先電話機１２と電話送受信機３３との間の回線が切断された後、発呼元電話機４の話者によって、発呼先電話機１２の電話番号を格納するよう設定する機能ボタン１９が押下され（ここでは、＊印のボタンが２回押下されることで、発呼先電話機１２の電話番号が格納されるよう設定されているものとする。以下、「登録ボタン」という）、その機能ボタン１９が押下されたことを示す信号（発呼規制格納信号）が、発呼元電話機４から構内交換装置３及び公衆交換電話網２を通じて、電話送受信機３３に送信され、制御部３１の発信規制番号格納手段４２に出力されると、発信規制番号格納手段４２は、発呼先電話機１２の電話番号をデータ記憶部３２に格納する。
【００３４】
Ｗｅｂサーバーアプリケーション（処理手段）４３は、インターネット網１１を通じて端末装置７からのアクセスにより端末装置７に対してＷｅｂサイトを閲覧可能にし、データ記憶部３２に格納された発信規制の電話番号を閲覧可能にする。また、Ｗｅｂサーバーアプリケーション４３は、Ｗｅｂサイト上において、端末装置７からの要求に応答して、発呼が規制される電話番号をデータ記憶部３２に対して書き込み可能とする。
【００３５】
[ 端末装置の構成 ]
図４は、サービス受益者システムに設置された端末装置７の機能ブロック図である。端末装置７は、物理的には、キーボード、マウス、ＣＰＵ、ＲＯＭ、ＲＡＭ、ハードディスク、ディスプレイ、モデムといった通信機器等により構成されている。図４に示すように、端末装置７は、機能的には、操作部５１、制御部５２、表示手段５３、ＬＡＮインターフェイス５４を備え、制御部５２は、Ｗｅｂブラウザ５６を有している。
【００３６】
操作部５１は、キーボード及びマウス等により構成され、文字や数字の入力等を行う際に用いられる。Ｗｅｂブラウザ５６は、電話発信規制装置８のＵＲＬを基に、ＬＡＮインターフェイス５４、ＬＡＮ６、インターネット網１１、ＬＡＮ９を通じて電話発信規制装置８のＷｅｂサーバーアプリケーション４３にアクセスし、発信規制電話番号の閲覧及び登録可能なＷｅｂ画面生成プログラム（ｈｔｍｌ等）をダウンロードして、そのＷｅｂ画面生成プログラムを実行する。表示手段５３は、Ｗｅｂ画面生成プログラムの実行によるＷｅｂサイトを表示する。このＷｅｂサイトでは、電話発信規制装置８のデータ記憶部３２に格納された電話番号が表示される他、発信規制する電話番号を入力し、データ記憶部３２に格納させる操作ができるようになっている。
【００３７】
＜電話発信規制システムの処理フロー＞
次に、図５及び図６を参照して、電話発信規制システム１の処理フローについて説明する。
【００３８】
発呼元電話機４の話者（ユーザ）は、機能ボタン１９のうち、電話発信規制装置８の電話番号の短縮ダイヤルが設定されているボタンを押下し、発呼元電話機４から電話発信規制装置８に電話をかける（Ｓ１０１）。すると、発呼元電話機４の制御部２６は、電話発信規制装置８の電話番号に対応したトーン信号を、ライン・インターフェイス２４に出力させる。すると、コード９、構内交換装置３、公衆交換電話網２を介して、発呼元電話機４と電話発信規制装置８との間で回線が接続される（Ｓ１０２）。
【００３９】
続いて、発呼元電話機４の話者は、発呼先電話機１２の電話番号のプッシュボタン１８を押下する（Ｓ１０３）。すると、発呼元電話機４の制御部２６は、発呼先電話機１２の電話番号に対応したトーン信号を、ライン・インターフェイス２４に出力させる。そのトーン信号は、電話発信規制装置８の電話送受信機３３によって受信され、制御部３１に出力される（Ｓ１０４）。制御部３１は、そのトーン信号を発信規制番号照合手段３６に出力する。発信規制番号照合手段３６は、受信したトーン信号から発呼先電話機１２の電話番号を認識する。そして、発信規制番号照合手段３６は、データ記憶部３２に記憶されている電話番号を読み出して、発呼先電話機１２の電話番号が、データ記憶部３２に格納されていないか否か照合する（Ｓ１０５）。
【００４０】
この照合において、発信規制番号照合手段３６は、発呼先電話機１２の電話番号がデータ記憶部３２に格納されていると判定した場合（Ｓ１０６：ＹＥＳ）、発信規制番号照合手段３６は、その旨を示す信号を発信規制案内手段３７に出力する。そして、発信規制案内手段３７は、電話送受信機３３を介して、発呼元電話機４に対して、「あなたがお掛けになった電話番号は、発信規制されています。」という音声メッセージを発信するデジタル音声信号を送信する（Ｓ１０７）。その発信規制を通知するデジタル音声信号は、電話送受信機３３から公衆交換電話網２及び構内交換装置３を通じて、発呼元電話機４に送信され、発呼元電話機４のライン・インターフェイス２４に受信される。そして、そのデジタル音声信号は、Ｄ／Ａ変換器２７によってアナログ音声信号に変換され、対数伸長器２１によって対数伸長処理が施されて、スピーカ１４に出力される。そして、スピーカ１４によって、「あなたがお掛けになった電話番号は、発信規制されています。」という音声メッセージが発声される。なお、ブザー音で知らせても良い。
【００４１】
発呼元電話機４の話者は、発呼元電話機４の受話器１３をオンフック状態にすることにより、発呼元電話機４と電話発信規制装置８との回線が切断される（Ｓ１０８）。
【００４２】
一方、発信規制番号照合手段３６は、発呼先電話機１２の電話番号がデータ記憶部３２に格納されていないと判定した場合（Ｓ１０６：ＮＯ→Ａ：参照図６）、発信規制番号照合手段３６は、その旨を示す信号を、電話発呼手段３８に出力する。電話発呼手段３８は、発呼先電話機１２の電話番号の発呼信号を送信することにより、発呼先電話機１２に電話する（Ｓ１０９）。
【００４３】
その直後に、電話中継手段３９は、電話送受信機３３に対し、発呼元電話機４との回線と発呼先電話機１２との回線を中継させる（Ｓ１１０）。したがって、発呼元電話機４から電話発信規制装置８に電話をかけて（Ｓ１０１）、電話発呼手段３８が発呼先電話機１２に電話する（Ｓ１０９）までの間は、発呼元電話機４は保留状態となっているが、電話中継手段３９によって、発呼元電話機４との回線と発呼先電話機１２との回線とが中継されると、発呼元電話機４のスピーカ１４には、呼び出し音が出される。
【００４４】
この中継状態から、発呼先電話機１２の受話器１２ａが話者によってとられてオフフック状態になると、発呼元電話機４の話者と発呼先電話機１２の話者との間で、通話可能となる。電話発信規制装置８では、発呼元電話機４との回線と発呼先電話機１２との回線とが中継されているため、電話発信規制装置８の制御部３１は、電話送受信機３３から通話の内容をデジタル音声信号として受け取り、そのデジタル音声信号をデータ記憶部３２に記憶させる（Ｓ１１１）。
【００４５】
話者同士の話が終了し、発呼元電話機４の話者が受話器１３を置き、オンフック状態になると、発呼元電話機４と発呼先電話機１２との間の回線は切断される（Ｓ１１２：ＹＥＳ）。それと共に、発呼元電話機４の受話器１３がオンフックになったことを示す信号は、発呼元電話機４から構内交換装置３及び公衆交換電話網２を通じて、電話送受信機３３に送信され、制御部３１の電話切断手段４１に出力される。すると、電話切断手段４１は、電話送受信機３３に対し、発呼元電話機４と電話送受信機３３との間の回線を切断させると共に、発呼先電話機１２と電話送受信機３３との間の回線を切断させる。また、その時点で、制御部３１は、デジタル音声信号のデータ記憶部３２への記憶を終了する。
【００４６】
一方、発呼元電話機４はオンフックされずに（Ｓ１１２：ＮＯ）、発呼元電話機４の話者によって、電話を切断するよう予め設定されている切断ボタン（機能ボタン１９の一つ）が押下され、その切断ボタンが押下されたことを示す信号が、発呼元電話機４から構内交換装置３及び公衆交換電話網２を通じて、電話送受信機３３に送信され、制御部３１の電話切断手段４１に出力されると、電話切断手段４１は、電話送受信機３３に対して、発呼先電話機１２と電話送受信機３３との間の回線を切断させる（Ｓ１１３）。それと共に、制御部３１は、デジタル音声信号のデータ記憶部３２への記憶を終了する。
【００４７】
さらに、発呼元電話機４の話者によって、発呼先電話機１２の電話番号を電話発信規制装置８に格納するよう予め設定された登録ボタン（機能ボタン１９の一つ）の押下が実行されると（Ｓ１１４：ＹＥＳ）、その登録ボタンが押下されたことを示す信号（発呼規制格納信号）が、発呼元電話機４から構内交換装置３及び公衆交換電話網２を通じて、電話送受信機３３に送信され、制御部３１の発信規制番号格納手段４２に出力される。すると、発信規制番号格納手段４２は、発呼先電話機１２の電話番号をデータ記憶部３２に格納する（Ｓ１１５）。
【００４８】
この状態から、発呼元電話機４の話者が、別の発呼先電話機に電話する場合（Ｓ１１６：ＹＥＳ→Ｂ）は、Ｓ１０３から操作、処理を始める。一方、発呼元電話機４の話者は、別の発呼先電話機にも電話をしない場合（Ｓ１１６：ＮＯ）は、発呼元電話機４の話者は、受話器１３をオンフックする（Ｓ１１７）。これにより、発呼元電話機４の受話器１３がオンフックになったことを示す信号が、発呼元電話機４から構内交換装置３及び公衆交換電話網２を通じて、電話送受信機３３に送信され、制御部３１の電話切断手段４１に出力される。すると、電話切断手段４１は、電話送受信機３３に対して、発呼元電話機４と電話送受信機３３との間の回線を切断させる。
【００４９】
なお、Ｓ１１４において、発呼先電話機１２の電話番号を電話発信規制装置８に格納するよう設定された登録ボタン（機能ボタン１９の一つ）の押下が実行されない場合（Ｓ１１４：ＮＯ）、Ｓ１１６に移り、発呼元電話機４の話者が、別の発呼先電話機に電話するかどうか（Ｓ１１６）で、その後の処理が異なってくる。
【００５０】
このように、この電話発信規制装置８を用いた電話発信規制システム１によれば、発呼元電話機４から発呼先電話機１２に電話をするに際して、電話発信規制装置８が、発呼元電話機４からの電話を一旦受信し、発信規制されている電話番号であるか否か照合される。そして、発呼先電話機１２の電話番号が発呼元電話機４に対して発信規制されている場合には、発呼元電話機４と発呼先電話機１２との間の回線は接続されない。
【００５１】
また、発呼元電話機４に対して、発呼先電話機１２の電話番号が発信規制されていない場合には、発呼元電話機４と発呼先電話機１２との間の回線が、電話発信規制装置８によって中継される。そして、発呼元電話機４の話者と発呼先電話機１２の話者との間の通話内容が、デジタル音声信号として電話発信規制装置８に記憶されるため、通話内容を再度確認することができる。
【００５２】
さらに、発呼元電話機４の話者と発呼先電話機１２の話者との通話において、発呼先電話機１２の話者から発呼元電話機４の話者に対して、再度発信しないよう要求された場合には、発呼元電話機４の話者による発呼元電話機４の機能ボタン１９の操作によって、電話発信規制装置８に対し、発呼先電話機１２の電話番号を発信規制対象の電話番号として格納させることができる。
【００５３】
また、電話発信規制装置８においては、発呼元電話機４に接続された回線と発呼先電話機１２に接続された回線とが中継されている間、発呼元電話機４と発呼先電話機１２との間で通信される音声信号はデータ記憶部３２に記憶される。したがって、発呼元電話機４の話者と発呼先電話機１２の話者との間で通話された中に、発呼先電話機１２の話者から、その発呼先電話機１２に対して発信規制が要望されていないか等を、データ記憶部３２に記憶された音声信号を再生することで確認することができる。
【００５４】
以上のように、電話発信規制装置８を利用することによって、発呼元電話機４からの発信規制及び発信規制すべき電話番号の格納を行うことができる。したがって、ユーザにとっては、構内交換装置３を専用機に設置し直す必要もなく、特別な設備を増設しなくて済む。
【００５５】
さらに、発呼元電話機４の話者（ユーザ）は、サービス受益者システムに設置された端末装置７を用いて、電話発信規制装置８に格納された発信規制電話番号を閲覧することができると共に、発信規制番号を格納することもできる。
【００５６】
すなわち、サービス受益者システムのユーザは、端末装置７の操作部５１を操作して、Ｗｅｂブラウザ５６を起動させ、電話発信規制装置８のＵＲＬを設定し、ＬＡＮインターフェイス５４、ＬＡＮ６、インターネット網１１、ＬＡＮ９を通じて電話発信規制装置８のＷｅｂサーバーアプリケーション４３にアクセスする。電話発信規制装置８のＷｅｂサーバーアプリケーション４３は、端末装置７の要求に応じて、発信規制電話番号の閲覧及び格納可能なＷｅｂ画面生成プログラムを提供する。
【００５７】
端末装置７は、そのＷｅｂ画面生成プログラム（ｈｔｍｌ等）をダウンロードして、そのＷｅｂ画面生成プログラムを実行する。すると、端末装置７の表示手段５３には、Ｗｅｂ画面生成プログラムの実行によって、電話発信規制装置８のデータ記憶部３２に格納された電話番号が表示される他、発信規制すべき電話番号を入力し、データ記憶部３２に格納する操作ができるようになっている。したがって、サービス受益者システムのユーザは、発信規制する電話番号を容易に確認することができ、また、登録漏れの電話番号があった場合には、端末装置７を用いて、電話発信規制装置８に格納し、登録することが容易にできる。
【００５８】
このような電話発信規制システム１は、複数のサービス受益者システムに対して、電話発信規制サービスを提供することができる。その場合、電話発信規制システム１においては、電話発信規制装置８は、発呼元電話機４によって送信される信号からサービス受益者システムを区別して、データ記憶部３２に格納された発信規制電話番号を照合し、格納する。この場合、同じサービス受益者システム内にある複数の発呼元電話機（内線電話機）４のうちいずれの発呼元電話機４から電話発信規制装置８に電話がかけられても、同じ発信規制格納電話番号のデータを基に同様の発信規制がかけられるようにする。そのため、どのサービス受益者システムの発呼元電話機（内線電話機）４から発信されたか電話発信規制装置８によって認識できるように、例えば、発呼元電話機４の発信信号に、発呼元電話機４を特定する発信電話番号を通知させ、電話発信規制装置８の制御部３１によって、その発信電話番号を識別させるようにする。そして、発信規制番号格納手段４２は、サービス受益者システム毎に発信規制電話番号をデータ記憶部３２に格納するようにし、発信規制番号照合手段３６は、電話をかけてきた発呼元電話機４が属するサービス受益者システムについて格納された発信規制電話番号を照合するようにし、制御部３１は、サービス受益者システムを区別して発呼元電話機４と発呼先電話機１２との間で通信された音声信号を記憶するようにすると良い。また、電話発信規制装置８は、端末装置７からのアクセスに対しても、サービス受益者システムを区別して、発信規制電話番号の閲覧、登録を許可すると良い。
【００５９】
なお、サービス受益者システムの単位は、サービスが提供される会社毎であっても良く、同じ会社であっても支店毎、或いは部門毎であっても良い。
【００６０】
また、このような電話発信規制システム１において、外線電話機である電話機１２から内線電話機である電話機４に電話がかけられることも想定される。そこで、サービス受益者システム毎にダイヤルイン番号を設定しておき、電話機１２から電話機４に電話がかけられる場合には、電話機１２と電話発信規制装置８との間で回線が一旦接続され、ダイヤルイン番号に応じて、電話発呼手段３８が、サービス受益者システムの電話機４に電話をかけ、電話中継手段３９が、電話機１２と電話送受信機３３との回線と、電話機４と電話送受信機３３との回線を電話送受信機３３に対して中継させるようにする。さらに、制御部３１が、電話機１２と電話機４との間で通信されるデジタル音声信号を電話送受信機３３から受け取り、データ記憶部３２に記憶させるようにする。データサービス受益者システムのユーザは、データ記憶部３２に記憶された音声信号を端末装置７にダウンロードして再生することにより、電話機１２の話者と電話機４の話者との通話内容を確認することができる。
【００６１】
なお、本発明は、上記実施形態に限られない。
【００６２】
例えば、発呼元電話機４は、上記実施形態では、デジタル式の電話機であったが、これに限らず、アナログ電話機でもＩＰ電話機であっても良い。また、発呼元電話機４から電話発信規制装置８への発呼は、短縮ダイヤルでなくとも良く、プッシュボタンを押下する方法であっても良い。また、発呼元電話機４は、上記実施形態では、構内交換装置３に接続された内線電話機であったが、特に内線電話機でなくとも良く、構内交換装置３に接続されない単独の電話機であっても良い。また、上記実施形態では、端末装置７と電話発信規制装置８とは、インターネット網１１により接続されていたが、専用性で接続されていてもよい。
【図面の簡単な説明】
【００６３】
【図１】本発明による電話発信規制装置を用いた電話発信規制システムの一実施形態を示すシステム図である。
【図２】発呼元電話機の機能ブロック図である。
【図３】電話発信規制装置の機能ブロック図である。
【図４】端末装置の機能ブロック図である。
【図５】電話発信規制システムの処理フローである。
【図６】電話発信規制システムの処理フローである。
【符号の説明】
【００６４】
１…電話発信規制システム、２…公衆交換電話網（公衆回線網）、４…発呼元電話機、８…電話発信規制装置、１１…インターネット網（電気通信回線）、１２…発呼先電話機、３１…制御部、３２…データ記憶部、３３…電話送受信機、３４…ＬＡＮインターフェイス、３６…発信規制番号照合手段、３７…発信規制案内手段、３８…電話発呼手段、３９…電話中継手段、４２…発信規制番号格納手段、４３…Ｗｅｂサーバーアプリケーション（処理手段）。
【図１】
2006140648.tif 000003
【図２】
2006140648.tif 000004
【図３】
2006140648.tif 000005
【図４】
2006140648.tif 000006
【図５】
2006140648.tif 000007
【図６】
2006140648.tif 000008